(57)【特許請求の範囲】
【請求項１】
無線通信システムにおいて端末が端末間直接通信のための同期信号を伝送する方法であって、
基地局から、前記同期信号を生成することに関連するシード値に関する情報を受信するステップであって、
前記シード値は、第１タイプシード値、第２タイプシード値及び第３タイプシード値を含み、
前記第１タイプシード値は、前記基地局のカバレッジ内部、及び、前記基地局の指示による前記同期信号の伝送に関連し、
前記第２タイプシード値は、前記基地局の前記カバレッジ内部、及び、前記基地局の前記指示のない前記同期信号の前記伝送に関連し、
前記第３タイプシード値は、前記基地局のカバレッジ外部、及び、前記基地局の前記指示のない前記同期信号の前記伝送に関連する、ステップと、
上位層を介して前記同期信号の電力パラメータを設定するステップと、
前記基地局から前記端末間直接通信のためのＴＰＣ（Ｔｒａｎｓｍｉｔ  Ｐｏｗｅｒ  Ｃｏｎｔｒｏｌ）命令を受信するステップと、
伝送パラメータ及び前記ＴＰＣ命令に基づいて、前記同期信号の伝送電力を決定するステップと、
前記第１タイプシード値、前記第２タイプシード値及び前記第３タイプシード値の一つに基づいて前記同期信号を生成するステップと、
前記決定された伝送電力に基づいて、前記同期信号を伝送するステップと、を含み、
前記ＴＰＣ命令は、前記端末間直接通信のためのデータチャネルのためのものである、方法。
【請求項２】
前記電力パラメータは、前記端末間直接通信のための前記データチャネルとは独立に設定される、請求項１に記載の方法。
【請求項３】
前記ＴＰＣ命令は、前記電力パラメータの少なくとも１つに、無限大又は０に切り替えるように指示する、請求項１又は２に記載の方法。
【請求項４】
前記ＴＰＣ命令は、下りリンク制御情報を介して受信される、請求項１〜３のいずれか一項に記載の方法。
【請求項５】
前記端末は、前記基地局のカバレッジ内に位置する、請求項１〜４のいずれか一項に記載の方法。
【請求項６】
前記端末間直接通信のための前記データチャネルは、前記基地局のリソース割り当て情報に従って伝送される、請求項１〜５のいずれか一項に記載の方法。
【請求項７】
無線通信システムにおいて端末間直接通信を行う端末であって、
メモリと、
前記メモリと結合された少なくとも一つのプロセッサと、を含み、
前記プロセッサは、
基地局から、同期信号を生成することに関連するシード値に関する情報を受信し、
前記シード値は、第１タイプシード値、第２タイプシード値及び第３タイプシード値を含み、
前記第１タイプシード値は、前記基地局のカバレッジ内部、及び、前記基地局の指示による前記同期信号の伝送に関連し、
前記第２タイプシード値は、前記基地局の前記カバレッジ内部、及び、前記基地局の前記指示のない前記同期信号の前記伝送に関連し、
前記第３タイプシード値は、前記基地局のカバレッジ外部、及び、前記基地局の前記指示のない前記同期信号の前記伝送に関連し、
上位層を介して設定された前記同期信号の伝送パラメータ、及び、基地局からの前記端末間直接通信のためのＴＰＣ（Ｔｒａｎｓｍｉｔ  Ｐｏｗｅｒ  Ｃｏｎｔｒｏｌ）命令に基づいて、前記端末間直接通信のための同期信号の伝送電力を決定し、
前記第１タイプシード値、前記第２タイプシード値及び前記第３タイプシード値の一つに基づいて前記同期信号を生成し、
前記決定された伝送電力に基づいて、前記同期信号を伝送するように設定され、
前記ＴＰＣ命令は、前記端末間直接通信のためのデータチャネルのためのものである、端末。
【請求項８】
電力パラメータは、前記端末間直接通信のための前記データチャネルとは独立に設定される、請求項７に記載の端末。
【請求項９】
前記ＴＰＣ命令は、電力パラメータの少なくとも１つに、無限大又は０に切り替えるように指示する、請求項７又は８に記載の端末。
【請求項１０】
前記ＴＰＣ命令は、下りリンク制御情報を介して受信される、請求項７〜９のいずれか一項に記載の端末。
【請求項１１】
前記端末は、前記基地局のカバレッジ内に位置する、請求項７〜１０のいずれか一項に記載の端末。
【請求項１２】
前記端末間直接通信のための前記データチャネルは、前記基地局のリソース割り当て情報に従って伝送される、請求項７〜１１のいずれか一項に記載の端末。
【発明の詳細な説明】
【技術分野】
【０００１】
本発明は、無線通信システムに係り、より詳細には、無線通信システムにおいて端末間直接通信のための同期信号伝送方法及びそのための装置に関する。
【背景技術】
【０００２】
本発明を適用できる無線通信システムの一例として、３ＧＰＰ ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ Ｅｖｏｌｕｔｉｏｎ；以下、「ＬＴＥ」という。）通信システムについて概略的に説明する。
【０００３】
図１は、無線通信システムの一例としてＥ−ＵＭＴＳネットワーク構造を概略的に示す図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進展したシステムであり、現在３ＧＰＰで基礎的な標準化作業が進行中である。一般に、Ｅ−ＵＭＴＳをＬＴＥ（Ｌｏｎｇ  Ｔｅｒｍ  Ｅｖｏｌｕｔｉｏｎ）システムと呼ぶこともできる。ＵＭＴＳ及びＥ−ＵＭＴＳの技術規格（ｔｅｃｈｎｉｃａｌ  ｓｐｅｃｉｆｉｃａｔｉｏｎ）の詳細な内容はそれぞれ、「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ ７及びＲｅｌｅａｓｅ ８を参照すればよい。
【０００４】
図１を参照すると、Ｅ−ＵＭＴＳは、端末（Ｕｓｅｒ  Ｅｑｕｉｐｍｅｎｔ；ＵＥ）、基地局（ｅＮｏｄｅＢ；ｅＮＢ）、及びネットワーク（Ｅ−ＵＴＲＡＮ）の終端に位置して外部ネットワークに接続するアクセスゲートウェイ（Ａｃｃｅｓｓ  Ｇａｔｅｗａｙ；ＡＧ）を含んでいる。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．２５、２．５、５、１０、１５、２０ＭＨｚなどの帯域幅のいずれか一つに設定され、複数の端末に下り又は上り送信サービスを提供する。異なったセルは、互いに異なった帯域幅を提供するように設定されればよい。基地局は、複数の端末に関するデータ送受信を制御する。下りリンク（Ｄｏｗｎｌｉｎｋ；ＤＬ）データについて、基地局は下りリンクスケジューリング情報を送信し、該当の端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、上りリンク（Ｕｐｌｉｎｋ；ＵＬ）データについて、基地局は上りリンクスケジューリング情報を該当の端末に送信し、該当の端末が使用可能な時間／周波数領域、符号化、データサイズ、ＨＡＲＱ関連情報などを知らせる。基地局同士の間には、ユーザトラフィック又は制御トラフィックの送信のためのインターフェースを用いることができる。コアネットワーク（Ｃｏｒｅ Ｎｅｔｗｏｒｋ；ＣＮ）は、ＡＧ、及び端末のユーザ登録などのためのネットワークノードなどで構成可能である。ＡＧは、複数のセルで構成されるＴＡ（Ｔｒａｃｋｉｎｇ  Ａｒｅａ）単位に端末の移動性を管理する。
【０００６】
無線通信技術は、ＷＣＤＭＡに基づいてＬＴＥにまで開発されてきたが、ユーザと事業者の要求と期待は増す一方である。その上、他の無線接続技術の開発が続いており、将来、競争力を持つためには新しい技術進化が要求される。ビット当たりのコストの削減、サービス可用性の増大、柔軟な周波数バンドの使用、単純構造と開放型インターフェース、端末の適度な電力消耗などが要求される。
【発明の概要】
【発明が解決しようとする課題】
【０００７】
上述したような議論に基づいて、以下では、無線通信システムにおいて端末間直接通信のための同期信号伝送方法及びそのための装置を提案しようとする。
【課題を解決するための手段】
【０００８】
本発明の一実施例である、無線通信システムにおいて端末が端末間直接通信のための同期信号を伝送する方法は、上位層を介して前記端末間直接通信のための同期信号の電力パラメータを設定するステップと、基地局から前記端末間直接通信のためのＴＰＣ（Ｔｒａｎｓｍｉｔ  Ｐｏｗｅｒ  Ｃｏｎｔｒｏｌ）命令（Ｃｏｍｍａｎｄ）を受信するステップ；前記電力パラメータ及び前記ＴＰＣ命令に基づいて、前記端末間直接通信のための同期信号の伝送電力を決定するステップと、前記決定された伝送電力によって、前記端末間直接通信のための同期信号を伝送するステップを含み、前記ＴＰＣ命令は、前記端末間直接通信のデータチャネルのためのものであることを特徴とする。
【０００９】
また、本発明の他の実施例である、無線通信システムにおいて端末間直接通信を行う端末は、他の端末又はネットワークと信号を送受信するための無線通信モジュールと、前記信号を処理するためのプロセッサを含み、前記プロセッサは、上位層を介して設定した前記端末間直接通信のための同期信号の電力パラメータ、及び基地局からの前記端末間直接通信のためのＴＰＣ（Ｔｒａｎｓｍｉｔ  Ｐｏｗｅｒ  Ｃｏｎｔｒｏｌ）命令（Ｃｏｍｍａｎｄ）に基づいて、前記端末間直接通信のための同期信号の伝送電力を決定し、前記決定された伝送電力によって、前記端末間直接通信のための同期信号を伝送するように前記無線通信モジュールを制御し、前記ＴＰＣ命令は、前記端末間直接通信のデータチャネルのためのものであることを特徴とする。
【００１０】
上記の実施例において、前記電力パラメータは、前記端末間直接通信のためのデータチャネルとは独立して設定されることが好ましく、前記ＴＰＣ命令は、前記電力パラメータのうち少なくとも１つに対して、無限大又は０のうち１つの値へのスイッチングを指示することを特徴とする。また、前記ＴＰＣ命令は、前記端末間直接通信のための物理制御チャネルを介して受信されてもよい。
【００１１】
好ましくは、前記端末は、前記基地局のカバレッジ内に位置し、前記端末間直接通信のためのデータチャネルは、前記基地局のリソース割り当て情報によって伝送されることを特徴とする。
【発明の効果】
【００１２】
本発明の実施例によれば、端末間直接通信のための同期信号をさらに効率的に送受信することができる。
【００１３】
本発明で得られる効果は、以上に言及した効果に制限されず、言及していない別の効果は、以下の記載から、本発明の属する技術の分野における通常の知識を有する者には明確に理解されるであろう。
【図面の簡単な説明】
【００１４】
【図１】無線通信システムの一例としてＥ−ＵＭＴＳネットワーク構造を概略的に示す図である。
【図２】３ＧＰＰ無線接続ネットワーク規格に基づく端末とＥ−ＵＴＲＡＮ間の無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザプレーン（Ｕｓｅｒ  Ｐｌａｎｅ）構造を示す図である。
【図３】３ＧＰＰシステムに用いられる物理チャネル及びこれらのチャネルを用いた一般的な信号送信方法を説明するための図である。
【図４】ＬＴＥシステムで用いられる無線フレームの構造を例示する図である。
【図５】ＬＴＥシステムで用いられる下りリンク無線フレームの構造を例示する図である。
【図６】ＬＴＥシステムで用いられる上りリンクサブフレームの構造を示す図である。
【図７】端末間直接通信の概念図である。
【図８】本発明に係るＤ２ＤＳＳの送信方法を例示する図である。
【図９】本発明の実施例に係る通信装置のブロック構成図である。
【発明を実施するための形態】
【００１５】
以下に添付の図面を参照して説明された本発明の実施例から、本発明の構成、作用及び他の特徴が容易に理解されるであろう。以下に説明される実施例は、本発明の技術的特徴が３ＧＰＰシステムに適用された例である。
【００１６】
本明細書ではＬＴＥシステム及びＬＴＥ−Ａシステムを用いて本発明の実施例を説明するが、これは例示に過ぎず、本発明の実施例は、上述した定義に該当するいかなる通信システムにも適用可能である。また、本明細書は、ＦＤＤ方式を基準にして本発明の実施例について説明するが、これは例示に過ぎず、本発明の実施例は、Ｈ−ＦＤＤ方式又はＴＤＤ方式にも容易に変形されて適用されてもよい。
【００１７】
また、本明細書では、基地局をＲＲＨ（ｒｅｍｏｔｅ  ｒａｄｉｏ  ｈｅａｄ）、ｅＮＢ、ＴＰ（ｔｒａｎｓｍｉｓｓｉｏｎ  ｐｏｉｎｔ）、ＲＰ（ｒｅｃｅｐｔｉｏｎ  ｐｏｉｎｔ）、中継機（ｒｅｌａｙ）などを含む包括的な名称として使うことができる。
【００１８】
図２は、３ＧＰＰ無線接続網規格に基づく端末とＥ−ＵＴＲＡＮとの間の無線インターフェースプロトコル（Ｒａｄｉｏ  Ｉｎｔｅｒｆａｃｅ  Ｐｒｏｔｏｃｏｌ）のコントロールプレーン及びユーザプレーンの構造を示す図である。コントロールプレーンとは、端末（ＵＥ）とネットワークとが呼を管理するために用いる制御メッセージが送信される通路のことを意味する。ユーザプレーンとは、アプリケーション層で生成されたデータ、例えば、音声データ又はインターネットパケットデータなどが送信される通路のことを意味する。
【００１９】
第１層である物理層は、物理チャネル（Ｐｈｙｓｉｃａｌ  Ｃｈａｎｎｅｌ）を用いて上位層に情報送信サービス（Ｉｎｆｏｒｍａｔｉｏｎ  Ｔｒａｎｓｆｅｒ  Ｓｅｒｖｉｃｅ）を提供する。物理層は、上位の媒体接続制御（Ｍｅｄｉｕｍ  Ａｃｃｅｓｓ  Ｃｏｎｔｒｏｌ）層とは送信チャネル（Ｔｒａｎｓｐｏｒｔ  Ｃｈａｎｎｅｌ）を介して接続されている。該送信チャネルを通じて媒体接続制御層と物理層との間にデータが移動する。送信側の物理層と受信側の物理層との間には物理チャネルを通じてデータが移動する。該物理チャネルは、時間及び周波数を無線リソースとして活用する。具体的には、物理チャネルは、下りリンクにおいてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクにおいてＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００２０】
第２層の媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を通じて、上位層である無線リンク制御（Ｒａｄｉｏ  Ｌｉｎｋ  Ｃｏｎｔｒｏｌ；ＲＬＣ）層にサービスを提供する。第２層のＲＬＣ層は、信頼できるデータ送信を支援する。ＲＬＣ層の機能は、ＭＡＣ内部の機能ブロックとしてもよい。第２層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰｖ４やＩＰｖ６のようなＩＰパケットを効率的に送信するために、余分の制御情報を減らすヘッダー圧縮（Ｈｅａｄｅｒ  Ｃｏｍｐｒｅｓｓｉｏｎ）機能を果たす。
【００２１】
第３層の最下部に位置する無線リソース制御（Ｒａｄｉｏ  Ｒｅｓｏｕｒｃｅ  Ｃｏｎｔｒｏｌ；ＲＲＣ）層は、コントロールプレーンにのみ定義される。ＲＲＣ層は、無線ベアラー（Ｒａｄｉｏ  Ｂｅａｒｅｒ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）に関連して、論理チャネル、送信チャネル及び物理チャネルの制御を担当する。無線ベアラー（ＲＢ）とは、端末とネットワーク間のデータ伝達のために第２層により提供されるサービスのことを意味する。そのために、端末のＲＲＣ層とネットワークのＲＲＣ層とはＲＲＣメッセージを互いに交換する。端末のＲＲＣ層とネットワークのＲＲＣ層間にＲＲＣ接続（ＲＲＣ  Ｃｏｎｎｅｃｔｅｄ）がある場合に、端末はＲＲＣ接続状態（Ｃｏｎｎｅｃｔｅｄ  Ｍｏｄｅ）にあり、そうでない場合は、ＲＲＣ休止状態（Ｉｄｌｅ  Ｍｏｄｅ）にあるようになる。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を果たす。
【００２２】
基地局（ｅＮＢ）を構成する一つのセルは、１．２５、２．５、５、１０、１５、２０ＭＨｚなどの帯域幅のいずれか一つに設定され、複数の端末に下り又は上り送信サービスを提供する。互いに異なるセルは、互いに異なる帯域幅を提供するように設定することができる。
【００２３】
ネットワークから端末にデータを送信する下り送信チャネルとしては、システム情報を送信するＢＣＨ（Ｂｒｏａｄｃａｓｔ  Ｃｈａｎｎｅｌ）、ページングメッセージを送信するＰＣＨ（Ｐａｇｉｎｇ  Ｃｈａｎｎｅｌ）、ユーザトラフィックや制御メッセージを送信する下りＳＣＨ（Ｓｈａｒｅｄ  Ｃｈａｎｎｅｌ）などがある。下りマルチキャスト又は放送サービスのトラフィック又は制御メッセージは、下りＳＣＨを通じて送信されてもよく、別の下りＭＣＨ（Ｍｕｌｔｉｃａｓｔ  Ｃｈａｎｎｅｌ）を通じて送信されてもよい。一方、端末からネットワークにデータを送信する上り送信チャネルとしては、初期制御メッセージを送信するＲＡＣＨ（Ｒａｎｄｏｍ  Ａｃｃｅｓｓ  Ｃｈａｎｎｅｌ）、ユーザトラフィックや制御メッセージを送信する上りＳＣＨ（Ｓｈａｒｅｄ  Ｃｈａｎｎｅｌ）がある。送信チャネルの上位に存在し、送信チャネルにマッピングされる論理チャネル（Ｌｏｇｉｃａｌ  Ｃｈａｎｎｅｌ）としては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００２４】
図３は、３ＧＰＰシステムに用いられる物理チャネル及びこれらのチャネルを用いた一般の信号送信方法を説明するための図である。
【００２５】
端末は、電源が入ったり、新しくセルに進入したりした場合に、基地局と同期を取る等の初期セル探索（Ｉｎｉｔｉａｌ  ｃｅｌｌ  ｓｅａｒｃｈ）作業を行う（Ｓ３０１）。そのために、端末は、基地局からプライマリ同期チャネル（Ｐｒｉｍａｒｙ  Ｓｙｎｃｈｒｏｎｉｚａｔｉｏｎ  Ｃｈａｎｎｅｌ；Ｐ−ＳＣＨ）及びセカンダリ同期チャネル（Ｓｅｃｏｎｄａｒｙ  Ｓｙｎｃｈｒｏｎｉｚａｔｉｏｎ  Ｃｈａｎｎｅｌ；Ｓ−ＳＣＨ）を受信して基地局と同期を取り、セルＩＤなどの情報を取得すればよい。その後、端末は、基地局から物理放送チャネル（Ｐｈｙｓｉｃａｌ  Ｂｒｏａｄｃａｓｔ  Ｃｈａｎｎｅｌ）を受信し、セル内放送情報を取得できる。一方、端末は、初期セル探索段階で、下りリンク参照信号（Ｄｏｗｎｌｉｎｋ  Ｒｅｆｅｒｅｎｃｅ  Ｓｉｇｎａｌ；ＤＬ ＲＳ）を受信し、下りリンクチャネル状態を確認できる。
【００２６】
初期セル探索を終えた端末は、物理下りリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）、及び該ＰＤＣＣＨに載せられた情報に基づいて物理下りリンク共有チャネル（Ｐｈｙｓｉｃａｌ  Ｄｏｗｎｌｉｎｋ  Ｃｏｎｔｒｏｌ  Ｃｈａｎｎｅｌ；ＰＤＳＣＨ）を受信することによって、より具体的なシステム情報を取得できる（Ｓ３０２）。
【００２７】
一方、基地局に最初に接続したり信号送信のための無線リソースがない場合には、端末は、基地局にランダムアクセス手順（Ｒａｎｄｏｍ  Ａｃｃｅｓｓ  Ｐｒｏｃｅｄｕｒｅ；ＲＡＣＨ）を行ってよい（Ｓ３０３乃至Ｓ３０６）。そのために、端末は、物理ランダムアクセスチャネル（Ｐｈｙｓｉｃａｌ  Ｒａｎｄｏｍ  Ａｃｃｅｓｓ  Ｃｈａｎｎｅｌ；ＰＲＡＣＨ）を通じて特定シーケンスをプリアンブルとして送信し（Ｓ３０３及びＳ３０５）、ＰＤＣＣＨ及び対応するＰＤＳＣＨを通じて、プリアンブルに対する応答メッセージを受信すればよい（Ｓ３０４及びＳ３０６）。競合ベースのＲＡＣＨについては、衝突解決手順（Ｃｏｎｔｅｎｔｉｏｎ  Ｒｅｓｏｌｕｔｉｏｎ  Ｐｒｏｃｅｄｕｒｅ）をさらに行ってもよい。
【００２８】
上述の手順を行った端末は、その後、一般的な上りリンク／下りリンク信号送信手順として、ＰＤＣＣＨ／ＰＤＳＣＨ受信（Ｓ３０７）、及び物理上りリンク共有チャネル（Ｐｈｙｓｉｃａｌ  Ｕｐｌｉｎｋ  Ｓｈａｒｅｄ  Ｃｈａｎｎｅｌ；ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）送信（Ｓ３０８）を行えばよい。特に、端末はＰＤＣＣＨを通じて下りリンク制御情報（Ｄｏｗｎｌｉｎｋ  Ｃｏｎｔｒｏｌ  Ｉｎｆｏｒｍａｔｉｏｎ；ＤＣＩ）を受信する。ここで、ＤＣＩは、端末に対するリソース割り当て情報のような制御情報を含んでおり、その使用目的によってフォーマットが異なっている。
【００２９】
一方、端末が上りリンクを通じて基地局に送信する又は端末が基地局から受信する制御情報としては、下りリンク／上りリンクＡＣＫ／ＮＡＣＫ信号、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）、ＲＩ（Ｒａｎｋ  Ｉｎｄｉｃａｔｏｒ）などを含む。３ＧＰＰ  ＬＴＥシステムでは、端末は、これらのＣＱＩ／ＰＭＩ／ＲＩなどの制御情報をＰＵＳＣＨ及び／又はＰＵＣＣＨを通じて送信してもよい。
【００３０】
図４は、ＬＴＥシステムで用いられる無線フレームの構造を例示する図である。
【００３１】
図４を参照すると、無線フレーム（ｒａｄｉｏ  ｆｒａｍｅ）は１０ｍｓ（３２７２００×Ｔs）の長さを有し、１０個の均等なサイズのサブフレーム（ｓｕｂｆｒａｍｅ）で構成されている。それぞれのサブフレームは１ｍｓの長さを有し、２個のスロット（ｓｌｏｔ）で構成されている。それぞれのスロットは０．５ｍｓ（１５３６０×Ｔs）の長さを有する。ここで、Ｔsはサンプリング時間を表し、Ｔs＝１／（１５ｋＨｚ×２０４８）＝３．２５５２×１０-8（約３３ｎｓ）で表示される。スロットは時間領域において複数のＯＦＤＭシンボルを含み、周波数領域において複数のリソースブロック（Ｒｅｓｏｕｒｃｅ  Ｂｌｏｃｋ；ＲＢ）を含む。ＬＴＥシステムにおいて一つのリソースブロックは１２個の副搬送波×７（６）個のＯＦＤＭシンボルを含む。データの送信される単位時間であるＴＴＩ（Ｔｒａｎｓｍｉｓｓｉｏｎ  Ｔｉｍｅ  Ｉｎｔｅｒｖａｌ）は一つ以上のサブフレーム単位に定めることができる。上述した無線フレームの構造は例示に過ぎず、無線フレームに含まれるサブフレームの数、サブフレームに含まれるスロットの数、又はスロットに含まれるＯＦＤＭシンボルの数は様々に変更されてもよい。
【００３２】
図５は、下りリンク無線フレームにおいて一つのサブフレームの制御領域に含まれる制御チャネルを例示する図である。
【００３３】
図５を参照すると、サブフレームは１４個のＯＦＤＭシンボルで構成されている。サブフレーム設定によって先頭の１乃至３個のＯＦＤＭシンボルは制御領域として用いられ、残り１３〜１１個のＯＦＤＭシンボルはデータ領域として用いられる。同図で、Ｒ１乃至Ｒ４は、アンテナ０乃至３に対する基準信号（Ｒｅｆｅｒｅｎｃｅ  Ｓｉｇｎａｌ（ＲＳ）又はＰｉｌｏｔ  Ｓｉｇｎａｌ）を表す。ＲＳは、制御領域及びデータ領域を問わず、サブフレーム内に一定のパターンで固定される。制御チャネルは、制御領域においてＲＳの割り当てられていないリソースに割り当てられ、トラフィックチャネルもデータ領域においてＲＳの割り当てられていないリソースに割り当てられる。制御領域に割り当てられる制御チャネルには、ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  ＣＨａｎｎｅｌ）、ＰＤＣＣＨ（Ｐｈｙｓｉｃａｌ  Ｄｏｗｎｌｉｎｋ  Ｃｏｎｔｒｏｌ  ＣＨａｎｎｅｌ）などがある。
【００３４】
ＰＣＦＩＣＨは物理制御フォーマット指示子チャネルで、サブフレームごとにＰＤＣＣＨに用いられるＯＦＤＭシンボルの個数を端末に知らせる。ＰＣＦＩＣＨは、最初のＯＦＤＭシンボルに位置し、ＰＨＩＣＨ及びＰＤＣＣＨに優先して設定される。ＰＣＦＩＣＨは４個のＲＥＧ（Ｒｅｓｏｕｒｃｅ  Ｅｌｅｍｅｎｔ  Ｇｒｏｕｐ）で構成され、それぞれのＲＥＧはセルＩＤ（Ｃｅｌｌ  ＩＤｅｎｔｉｔｙ）に基づいて制御領域内に分散される。一つのＲＥＧは４個のＲＥ（Ｒｅｓｏｕｒｃｅ  Ｅｌｅｍｅｎｔ）で構成される。ＲＥは、１副搬送波×１ ＯＦＤＭシンボルと定義される最小物理リソースを表す。ＰＣＦＩＣＨ値は帯域幅によって１〜３又は２〜４の値を指示し、ＱＰＳＫ（Ｑｕａｄｒａｔｕｒｅ  Ｐｈａｓｅ  Ｓｈｉｆｔ  Ｋｅｙｉｎｇ）で変調される。
【００３５】
ＰＨＩＣＨは、物理ＨＡＲＱ（Ｈｙｂｒｉｄ−Ａｕｔｏｍａｔｉｃ  Ｒｅｐｅａｔ  ａｎｄ  ｒｅｑｕｅｓｔ）指示子チャネルで、上りリンク送信に対するＨＡＲＱ ＡＣＫ／ＮＡＣＫを運ぶために用いられる。すなわち、ＰＨＩＣＨは、ＵＬ ＨＡＲＱのためのＤＬ ＡＣＫ／ＮＡＣＫ情報が送信されるチャネルを表す。ＰＨＩＣＨは、１個のＲＥＧで構成され、セル特定（ｃｅｌｌ−ｓｐｅｃｉｆｉｃ）にスクランブル（ｓｃｒａｍｂｌｉｎｇ）される。ＡＣＫ／ＮＡＣＫは１ビットで指示され、ＢＰＳＫ（Ｂｉｎａｒｙ  ｐｈａｓｅ  ｓｈｉｆｔ  ｋｅｙｉｎｇ）で変調される。変調されたＡＣＫ／ＮＡＣＫは拡散因子（Ｓｐｒｅａｄｉｎｇ  Ｆａｃｔｏｒ；ＳＦ）＝２又は４で拡散される。同一のリソースにマップされる複数のＰＨＩＣＨは、ＰＨＩＣＨグループを構成する。ＰＨＩＣＨグループに多重化されるＰＨＩＣＨの個数は、拡散コードの個数によって決定される。ＰＨＩＣＨ（グループ）は周波数領域及び／又は時間領域においてダイバーシチ利得を得るために３回反復（ｒｅｐｅｔｉｔｉｏｎ）される。
【００３６】
ＰＤＣＣＨは物理下りリンク制御チャネルで、サブフレームにおける先頭のｎ個のＯＦＤＭシンボルに割り当てられる。ここで、ｎは１以上の整数で、ＰＣＦＩＣＨによって指示される。ＰＤＣＣＨは一つ以上のＣＣＥで構成される。ＰＤＣＣＨは、送信チャネルであるＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）のリソース割り当てに関する情報、上りリンクスケジューリンググラント（Ｕｐｌｉｎｋ  Ｓｃｈｅｄｕｌｉｎｇ  Ｇｒａｎｔ）、ＨＡＲＱ情報などを各端末又は端末グループに知らせる。ＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）はＰＤＳＣＨを通じて送信される。したがって、基地局と端末は一般に、特定の制御情報又は特定のサービスデータ以外は、ＰＤＳＣＨを通じてデータをそれぞれ送信及び受信する。
【００３７】
ＰＤＳＣＨのデータがいずれの端末（一つ又は複数の端末）に送信されるものか、これら端末がどのようにＰＤＳＣＨデータを受信してデコードしなければならないかに関する情報などは、ＰＤＣＣＨに含まれて送信される。例えば、特定ＰＤＣＣＨが「Ａ」というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣマスクされており、「Ｂ」という無線リソース（例、周波数位置）及び「Ｃ」というＤＣＩフォーマット、すなわち、伝送形式情報（例、伝送ブロックサイズ、変調方式、コーディング情報など）を用いて送信されるデータに関する情報が、特定サブフレームで送信されると仮定する。この場合、セル内の端末は、自身が持っているＲＮＴＩ情報を用いて検索領域でＰＤＣＣＨをモニター、すなわち、ブラインドデコードし、「Ａ」のＲＮＴＩを持っている一つ以上の端末があると、これらの端末はＰＤＣＣＨを受信し、受信したＰＤＣＣＨの情報に基づいて「Ｂ」と「Ｃ」によって指示されるＰＤＳＣＨを受信する。
【００３８】
図６は、ＬＴＥシステムで用いられる上りリンクサブフレームの構造を示す図である。
【００３９】
図６を参照すると、上りリンクサブフレームは、制御情報を運ぶＰＵＣＣＨ（Ｐｈｙｓｉｃａｌ  Ｕｐｌｉｎｋ  Ｃｏｎｔｒｏｌ  ＣＨａｎｎｅｌ）が割り当てられる領域と、ユーザデータを運ぶＰＵＳＣＨ（Ｐｈｙｓｉｃａｌ  Ｕｐｌｉｎｋ  Ｓｈａｒｅｄ  ＣＨａｎｎｅｌ）が割り当てられる領域とに区別される。サブフレームにおいて中間部分がＰＵＳＣＨに割り当てられ、周波数領域においてデータ領域の両側部分がＰＵＣＣＨに割り当てられる。ＰＵＣＣＨ上で送信される制御情報は、ＨＡＲＱに用いられるＡＣＫ／ＮＡＣＫ、下りリンクチャネル状態を示すＣＱＩ（Ｃｈａｎｎｅｌ  Ｑｕａｌｉｔｙ  Ｉｎｄｉｃａｔｏｒ）、ＭＩＭＯのためのＲＩ（Ｒａｎｋ  Ｉｎｄｉｃａｔｏｒ）、上りリンクリソース割り当て要求であるＳＲ（Ｓｃｈｅｄｕｌｉｎｇ  Ｒｅｑｕｅｓｔ）などがある。一つの端末に対するＰＵＣＣＨは、サブフレーム内の各スロットで互いに異なる周波数を占める一つのリソースブロックを使用する。すなわち、ＰＵＣＣＨに割り当てられる２個のリソースブロックはスロット境界で周波数ホッピング（ｆｒｅｑｕｅｎｃｙ  ｈｏｐｐｉｎｇ）する。特に、図６は、ｍ＝０のＰＵＣＣＨ、ｍ＝１のＰＵＣＣＨ、ｍ＝２のＰＵＣＣＨ、ｍ＝３のＰＵＣＣＨがサブフレームに割り当てられるとしている。
【００４０】
以下、ＬＴＥシステムにおいて上りリンク送信電力制御方法について説明する。
【００４１】
端末が自身の上りリンク送信電力を制御する方法には、開ループ電力制御（Ｏｐｅｎ  Ｌｏｏｐ  Ｐｏｗｅｒ  Ｃｏｎｔｒｏｌ；ＯＬＰＣ）と閉ループ電力制御（Ｃｌｏｓｅｄ  Ｌｏｏｐ  Ｐｏｗｅｒ  Ｃｏｎｔｒｏｌ；ＣＬＰＣ））がある。このうち、前者は、端末の属しているセルの基地局からの下りリンク信号の減衰を推定し、それを補償する形態で電力制御をするための因子である。すなわち、端末から基地局までの距離が遠くなって下りリンクの信号減衰が大きくなると、上りリンクの送信電力をさらに上げる方式で上りリンク電力を制御する。そして、後者は、基地局で上りリンク送信電力を調節するために必要な情報（すなわち、制御信号）を直接伝達する方式で上りリンク電力を制御する。
【００４２】
次の式１は、搬送波集成（Ｃａｒｒｉｅｒ  Ａｇｇｒｅｇａｔｉｏｎ）技法を支援するシステムにおいて、サービングセルｃでサブフレームインデックスｉ上でＰＵＳＣＨ及びＰＵＣＣＨを同時に送信せず、ＰＵＳＣＨのみを送信する場合に、端末の送信電力を決定するためのものである。
【００４３】
【数１】
0006571107.tif 000002
【００４４】
次の式２は、搬送波集成技法を支援するシステムにおいて、サービングセルｃでサブフレームインデックスｉ上でＰＵＣＣＨ及びＰＵＳＣＨを同時に送信する場合に、ＰＵＳＣＨ送信電力を決定するためのものである。
【００４５】
【数２】
0006571107.tif 000003
【００４６】
【数３】
0006571107.tif 000004
【００４７】
また、式１で、ＭＰＵＳＣＨ，ｃ（ｉ）は、サブフレームインデックスｉに対して有効なリソースブロック数で表現されたＰＵＳＣＨリソース割り当ての帯域幅を示すパラメータであり、基地局が割り当てる値である。ＰＯ＿ＰＵＳＣＨ，ｃ（ｊ）は、上位層から提供されたセル−特定ノミナルコンポーネント（ｎｏｍｉｎａｌ  ｃｏｍｐｏｎｅｎｔ）ＰＯ＿ＮＯＭＩＮＡＬ＿ＰＵＳＣＨ，ｃ（ｊ）と上位層から提供された端末−特定コンポーネントＰＯ＿ＵＥ＿ＰＵＳＣＨ，ｃ（ｊ）との和で構成されたパラメータであって、基地局が端末に知らせる値である。
【００４８】
上りリンクグラントに基づくＰＵＳＣＨ送信／再送信時にｊは１であり、ランダムアクセス応答に基づくＰＵＳＣＨ送信／再送信時にｊは２である。そして、ＰＯ＿ＵＥ＿ＰＵＳＣＨ，ｃ（２）＝０及びＰＯ＿ＮＯＭＩＮＡＬ＿ＰＵＳＣＨ，ｃ（２）＝ＰＯ＿ＰＲＥ+ΔＰＲＥＡＭＢＬＥ＿Ｍｓｇ３であり、パラメータＰＯ＿ＰＲＥ及びΔＰＲＥＡＭＢＬＥ＿Ｍｓｇ３は、上位層からシグナルされる。
【００４９】
αｃ（ｊ）は、経路損失補償因子（ｐａｔｈｌｏｓｓ  ｃｏｍｐｅｎｓａｔｉｏｎ  ｆａｃｔｏｒ）であって、上位層から提供され、基地局が３ビットで送信するセル−特定パラメータである。ここで、ｊが０又は１のとき、∈｛０，０．４，０．５，０．６，０．７，０．８，０．９，１｝であり、ｊが２のとき、αｃ（ｊ）＝１である。αｃ（ｊ）は、基地局が端末に知らせる値である。
【００５０】
経路損失ＰＬｃは、端末がｄＢ単位に計算した下りリンク経路損失（又は、信号損失）推定値であり、ＰＬｃ＝ｒｅｆｅｒｅｎｃｅＳｉｇｎａｌＰｏｗｅｒ−ｈｉｇｈｅｒ ｌａｙｅｒ ｆｉｌｔｅｒｅｄＲＳＲＰで表現され、ここで、ｒｅｆｅｒｅｎｃｅＳｉｇｎａｌＰｏｗｅｒは、基地局が上位層で端末に知らせることができる。
【００５１】
ｆｃ（ｉ）は、サブフレームインデックスｉに対して現在ＰＵＳＣＨ電力制御調整状態を示す値であり、現在の絶対値又は蓄積された値で表現することができる。蓄積（ａｃｃｕｍｕｌａｔｉｏｎ）が上位層から提供されるパラメータに基づいてイネーブル（ｅｎａｂｌｅ）されたり、又はＴＰＣ ｃｏｍｍａｎｄδＰＵＳＣＨ、ｃが、ＣＲＣが臨時（Ｔｅｍｐｏｒａｒｙ）Ｃ−ＲＮＴＩでスクランブルされたサービングセルｃに対するＤＣＩフォーマット０と共にＰＤＣＣＨに含まれると、ｆｃ（ｉ）＝ｆｃ（ｉ−１）+δＰＵＳＣＨ、ｃ（ｉ−ＫＰＵＳＣＨ）を満たす。δＰＵＳＣＨ、ｃ（ｉ−ＫＰＵＳＣＨ）は、サブフレームｉ−ＫＰＵＳＣＨでＤＣＩフォーマット０／４又は３／３Ａと共にＰＤＣＣＨでシグナルされ、ここで、ｆｃ（０）は、蓄積値のリセット（ｒｅｓｅｔ）後の最初の値である。
【００５２】
ＫＰＵＳＣＨの値は、ＬＴＥ標準で次のように定義されている。
【００５３】
ＦＤＤ（Ｆｒｅｑｕｅｎｃｙ  Ｄｉｖｉｓｉｏｎ  Ｄｕｐｌｅｘ）ではＫＰＵＳＣＨの値が４である。ＴＤＤにおいてＫＰＵＳＣＨの値は、次の表１のとおりである。
【００５４】
【表１】
0006571107.tif 000005
【００５５】
ＤＲＸ状態の場合を除けば、毎サブフレームで端末は端末のＣ−ＲＮＴＩをもってＤＣＩフォーマット０／４のＰＤＣＣＨを、又は端末のＴＰＣ−ＰＵＳＣＨ−ＲＮＴＩをもってＤＣＩフォーマット３／３ＡのＰＤＣＣＨ及びＳＰＳ Ｃ−ＲＮＴＩに対するＤＣＩフォーマットをデコードしようと試みる。サービングセルｃに対するＤＣＩフォーマット０／４及びＤＣＩフォーマット３／３Ａが同一サブフレームで検出されると、端末は、ＤＣＩフォーマット０／４で提供されるδＰＵＳＣＨ、ｃを用いなければならない。サービングセルｃのためにデコードされるＴＰＣ命令（ｃｏｍｍａｎｄ）がないか、ＤＲＸが発生するか、又はインデックスｉのサブフレームがＴＤＤにおいて上りリンクサブフレームでないサブフレームに対して、δＰＵＳＣＨ、ｃは０ｄＢである。
【００５６】
ＤＣＩフォーマット０／４と共にＰＤＣＣＨ上でシグナルされるδＰＵＳＣＨ、ｃ蓄積値は、次の表２のとおりである。ＤＣＩフォーマット０に同伴するＰＤＣＣＨが、ＳＰＳ ａｃｔｉｖａｔｉｏｎで認証（ｖａｌｉｄａｔｉｏｎ）されたり、リリース（ｒｅｌｅａｓｅ）されると、δＰＵＳＣＨ、ｃは０ｄＢである。ＤＣＩフォーマット３／３Ａと共にＰＤＣＣＨ上でシグナルされるδＰＵＳＣＨ、ｃ蓄積値は、次の表２のＳＥＴ１のいずれか一つであるか、上位層で提供されるＴＰＣ−インデックス（ｉｎｄｅｘ）パラメータによって決定される次の表３のＳＥＴ２のいずれか一つである。
【００５７】
【表２】
0006571107.tif 000006
【００５８】
【表３】
0006571107.tif 000007
【００５９】
サービングセルｃにおける送信最大電力
【数４】
0006571107.tif 000008
に到達すると、サービングセルｃに対して正（ｐｏｓｉｔｉｖｅ）のＴＰＣ命令（ｃｏｍｍａｎｄ）が蓄積されない。一方、端末が最低電力に到達すると、負（ｎｅｇａｔｉｖｅ）のＴＰＣ命令が蓄積されない。
【００６０】
次の式３は、ＬＴＥシステムにおける、ＰＵＣＣＨに対する上りリンク電力制御関連式である。
【００６１】
【数５】
0006571107.tif 000009
【００６２】
上記の式３で、ｉは、サブフレームインデックス、ｃは、セル（ｃｅｌｌ）インデックスである。端末が２つのアンテナポート上でＰＵＣＣＨを送信するように上位層によって設定されていると、ΔＴｘＤ（Ｆ’）の値は上位層によって端末に提供され、その他の場合には０である。以下に説明するパラメータは、セルインデックスｃであるサービングセルに関する。
【００６３】
ここで、ＰＣＭＡＸ，ｃ（ｉ）は、端末の送信可能な最大電力を表し、Ｐ０＿ＰＵＣＣＨは、セル−特定（ｃｅｌｌ−ｓｐｅｃｉｆｉｃ）パラメータの和で構成されたパラメータであって、基地局が上位層シグナリングを用いて知らせる。ＰＬｃは、端末がｄＢ単位に計算した下りリンク経路損失（又は、信号損失）推定値であって、ＰＬｃ＝ｒｅｆｅｒｅｎｃｅＳｉｇｎａｌＰｏｗｅｒ−ｈｉｇｈｅｒ ｌａｙｅｒ ｆｉｌｔｅｒｅｄＲＳＲＰで表現される。ｈ（ｎ）は、ＰＵＣＣＨフォーマットによって変わる値であり、ｎＣＱＩは、チャネル品質情報（ＣＱＩ）に対する情報ビットの数であり、ｎＨＡＲＱは、ＨＡＲＱビットの数を表す。ΔＦ＿ＰＵＣＣＨ（Ｆ）値は、ＰＵＣＣＨフォーマット１ａに相対的な値であって、ＰＵＣＣＨフォーマット＃Ｆに対応する値である。このΔＦ＿ＰＵＣＣＨ（Ｆ）値は、基地局が上位層シグナリングを用いて知らせる値である。ｇ（ｉ）は、インデックスｉのサブフレームの現在ＰＵＣＣＨ電力制御調整ステート（ａｄｊｕｓｔｍｅｎｔ  ｓｔａｔｅ）を表す。
【００６４】
ＰＯ＿ＵＥ＿ＰＵＣＣＨ値が上位層で変更されるとき、ｇ（０）＝０であり、そうでないと、ｇ（０）＝ΔＰｒａｍｐｕｐ+δｍｓｇ２である。δｍｓｇ２は、ランダムアクセス応答で指示されるＴＰＣ命令（ｃｏｍｍａｎｄ）であり、ΔＰｒａｍｐｕｐは、上位層で提供する最初のプリアンブルから最後のプリアンブルまでの総電力ランプ−アップ（ｒａｍｐ−ｕｐ）に該当する。
【００６５】
プライマリセルにおける送信最大電力ＰＣＭＡＸ，Ｃ（ｉ）に到達すると、プライマリセルに対して正（ｐｏｓｉｔｉｖｅ）のＴＰＣ命令が蓄積されない。一方、端末が最低電力に到達すると、負（ｎｅｇａｔｉｖｅ）のＴＰＣ命令が蓄積されない。端末は、ＰＯ＿ＵＥ＿ＰＵＣＣＨ値が上位層によって変更されたり、又はランダムアクセス応答メッセージを受信するとき、蓄積（ａｃｃｕｍｕｌａｔｉｏｎ）をリセットする。
【００６６】
一方、次の表４及び表５は、ＤＣＩフォーマットにおけるＴＰＣ命令（Ｃｏｍｍａｎｄ）フィールドが示すδＰＵＣＣＨ値を表すものである。特に、表４は、ＤＣＩフォーマット３Ａ以外のＤＣＩが示すδＰＵＣＣＨ値であり、表５は、ＤＣＩフォーマット３Ａが示すδＰＵＣＣＨ値である。
【００６７】
【表４】
0006571107.tif 000010
【００６８】
【表５】
0006571107.tif 000011
【００６９】
次の式４は、ＬＴＥシステムでのサウンディング参照信号（ＳＲＳ）の電力制御関連式である。
【００７０】
【数６】
0006571107.tif 000012
【００７１】
前記の式４で、ｉは、サブフレームインデックス、ｃは、セル（ｃｅｌｌ）インデックスである。ここで、ＰＣＭＡＸ，ｃ（ｉ）は、端末の伝送可能な最大電力を示し、ＰＳＲＳ＿ＯＦＦＳＥＴ、ｃ（ｍ）は、上位層で設定される値であって、ｍが０である場合は、周期的（ｐｅｒｉｏｄｉｃ）サウンディング参照信号を、ｍが1である場合は、非周期的（ａｐｅｒｉｏｄｉｃ）サウンディング参照信号を送信する場合に対応する。ＭＳＲＳ，ｃは、サービングセルｃのサブフレームインデックスｉ上でのサウンディング参照信号の帯域幅であって、リソースブロックの個数で表現される。
【００７２】
ｆｃ（ｉ）は、サービングセルｃのサブフレームインデックスｉに対して、現在のＰＵＳＣＨ電力制御調整状態を示す値であり、ＰＯ＿ＰＵＳＣＨ，ｃ（ｊ）及びαｃ（ｊ）もまた、前記式１及び式２で説明した通りである。
【００７３】
図７は、端末間直接通信を示す概念図である。
【００７４】
図７を参照すると、ＵＥが他のＵＥと直接無線通信を行うＤ２Ｄ（ｄｅｖｉｃｅ−ｔｏ−ｄｅｖｉｃｅ）通信、すなわち、端末間直接通信では、ｅＮＢがＤ２Ｄ送受信を指示するためのスケジューリングメッセージを送信することができる。Ｄ２Ｄ通信に参加するＵＥは、ｅＮＢからＤ２Ｄスケジューリングメッセージを受信し、Ｄ２Ｄスケジューリングメッセージが指示する送受信動作を行う。ここで、ＵＥはユーザの端末を意味するが、ｅＮＢのようなネットワークエンティティがＵＥ間の通信方式によって信号を送受信する場合には、このエンティティも一種のＵＥと見なすことができる。以下では、ＵＥ間に直接接続されたリンクをＤ２Ｄリンクと呼び、ＵＥがｅＮＢと通信するリンクをＮＵリンクと呼ぶ。
【００７５】
Ｄ２Ｄ通信でも、送信端と受信端は時間及び周波数同期を取らなければならない。そのために、少なくとも一部の送信ＵＥは、時間／周波数同期の基準となる同期信号を送信することができる。この同期信号をＤ２ＤＳＳ（Ｄ２Ｄ  ｓｙｎｃｈｒｏｎｉｚａｔｉｏｎ  ｓｉｇｎａｌ）と命名する。一部の送信ＵＥは、隣接する他の送信ＵＥが送信するＤ２ＤＳＳが検出される場合には、検出されたＤ２ＤＳＳに同期を取ることによって、自身は別途のＤ２ＤＳＳを送信せずとも、他の送信ＵＥのＤ２ＤＳＳに同期を取っている受信ＵＥとの通信が可能になるように動作することも可能である。
【００７６】
上述したように、一部の送信ＵＥが他の送信ＵＥのＤ２ＤＳＳに同期を取る場合、全体的に送信されるＤ２ＤＳＳの個数自体を低減することができるので、ＵＥの電力消耗やＤ２ＤＳＳ間の干渉問題などを緩和することができる。そのために、本発明では、効果的にＤ２ＤＳＳを送信する方法を説明する。
【００７７】
図８は、本発明に係るＤ２ＤＳＳの送信方法を例示する図である。特に、図８は、ネットワークにｅＮＢが十分に設置されていないか、又は地震などの災難によってｅＮＢが破壊され、少数のｅＮＢが広い領域を担当するようになり、その結果、一部の領域ではｅＮＢへの接続が不安定であるか、又は不可能になる場合を仮定する。
【００７８】
（１）基本的にｅＮＢと円滑な通信が可能なＵＥ、例えば、図８のＵＥ１に対しては、ｅＮＢが直接ＵＥ特定的信号を介してどのＵＥがＤ２ＤＳＳを送信するかを指定することができる。ｅＮＢは、ＵＥのＲＲＭ（Ｒａｄｉｏ  Ｒｅｓｏｕｒｃｅ  Ｍａｎａｇｅｍｅｎｔ）測定報告を介して、どのＵＥがどの位置にあるかを概略的に把握できるので、適切な距離を置いてＤ２ＤＳＳ送信ＵＥを選択することができる。このように、ｅＮＢが個別ＵＥのＤ２ＤＳＳ送信を指示する方式を、Ｄ２ＤＳＳ送信決定方式１と称する。
【００７９】
Ｄ２ＤＳＳ送信決定方式１では、ｅＮＢが個別ＵＥに、Ｄ２ＤＳＳ送信に使用するリソースの位置、及びＤ２ＤＳＳのシーケンス（ｓｅｑｕｅｎｃｅ）生成に使用するシード値（ｓｅｅｄ  ｖａｌｕｅ）を共に知らせることができる。追加的に、Ｄ２ＤＳＳ送信に使用する伝送電力値或いは伝送電力を調節するパラメータを知らせることもできる。Ｄ２ＤＳＳの伝送電力を調節するパラメータを知らせる場合には、Ｄ２ＤＳＳの伝送電力は、通常のＮＵリンクの伝送電力とほぼ同一に前記式１のように表現することができる（もちろん、式１の一部のパラメータは省略可能である）。このような場合、ｅＮＢが個別ＵＥにＰＯ＿ＰＵＳＣＨ，ｃ（ｊ）、αｃ（ｊ）のようなパラメータ値を知らせることができる。
【００８０】
特に、このようなＤ２ＤＳＳのためのパラメータは、ＮＵリンクのためのパラメータ及びＤ２Ｄリンクの他のチャネル（例えば、Ｄ２Ｄデータチャネル）のパラメータとは別途に設定することができ、ただし、ＴＰＣ命令（ｃｏｍｍａｎｄ）によって決定される閉ループパラメータであるｆｃ（ｉ）は、Ｄ２Ｄデータチャネルのものと同一に使用してもよい。換言すれば、ＴＰＣの適用対象が、Ｄ２Ｄデータチャネルだけでなく、Ｄ２ＤＳＳ及びこれと関連する同期チャネルも含まれるということである。一例として、Ｄ２ＤＳＳのためのパラメータのうち開ループパラメータは、Ｄ２Ｄデータチャネルの開ループパラメータとは別個に設定し、閉ループパラメータであるｆｃ（ｉ）は、Ｄ２Ｄデータチャネルと同一に使用することができる。したがって、瞬間的にＤ２Ｄの電力が不足する場合、Ｄ２Ｄデータ、Ｄ２ＤＳＳ及び関連する同期チャネルの電力を共に高めることができるので、追加的なシグナリングオーバーヘッドなしに、瞬間的な状況変化に対処できるようになる。
【００８１】
特に、この場合、ｆｃ（ｉ）は、０及び無限大に近い非常に大きい値のうち１つにｅＮＢのＴＰＣによって決定されてもよく、この動作を式１に適用する場合、次式５及び式６のように表現することができる。特に、式５の場合、ｆｃ（ｉ）が０である場合を示し、式６は、ｆｃ（ｉ）が無限大に近い非常に大きい値である場合を示す。
【００８２】
【数７】
0006571107.tif 000013
【００８３】
【数８】
0006571107.tif 000014
【００８４】
又は、Ｄ２ＤＳＳの伝送電力は、Ｄ２Ｄデータチャネルの伝送電力において一定のオフセットを付与した形態で定められてもよく、勿論、このオフセット値はｅＮＢがシグナリングすることができる。
【００８５】
（２）一方、ＵＥがｅＮＢから遠ざかると、ｅＮＢが非常に高い信頼性のために伝送する基礎的な情報（例えば、システム情報を介して放送される情報）のみが受信可能であり、ＵＥ特定的な信号を安定的に送受信しにくい地域に位置することもある。図８のＵＥ２がそのような場合である。このような場合にも、Ｄ２Ｄ送信ＵＥは、ｅＮＢが提供する同期信号に同期を取ることが好ましい。これは、ｅＮＢが、ＵＥよりはさらに安定した同期を維持することができ、既に放送される情報を受信したということは、当該ｅＮＢとの同期は安定的であることを意味するためである。したがって、このような送信ＵＥのうち少なくとも一部は、ｅＮＢに同期を取った状態で、他のＵＥとの同期の基準となり得るＤ２ＤＳＳを送信しなければならない。ただし、この環境では、ＵＥ特定的な信号を介するＤ２ＤＳＳ送信決定方式１を使用することは適していないため、他の方式を使用しなければならない。
【００８６】
一つの方法として、ｅＮＢは、Ｄ２ＤＳＳとして使用可能なリソース、及び／又は１つ又はそれ以上のＤ２ＤＳＳのシーケンス生成に使用するシード値を、システム情報などを介して放送し、これを受信したＵＥが、事前に定められた規則に従ってＤ２ＤＳＳを送信するか否かを自ら判断するようにすることができる。これをＤ２ＤＳＳ送信決定方式２と称する。Ｄ２ＤＳＳ送信決定方式２のより具体的な動作の一例として、ＵＥは、まず、他のＵＥが送信するＤ２ＤＳＳがあるかを確認し、他のＵＥが送信するＤ２ＤＳＳが検出されないか、又は検出されても一定の条件を満足しない場合には、ｅＮＢが知らせたリソース及びシード値を用いてＤ２ＤＳＳを送信する。特に、Ｄ２ＤＳＳ送信決定方式２の場合には、Ｄ２ＤＳＳの確率的送信も可能である。すなわち、直ちにＤ２ＤＳＳを送信するものではなく、一定の確率でＤ２ＤＳＳの送信を試みることによって、隣接する２つのＵＥが同時にＤ２ＤＳＳを送信する場合を減らすことができる。逆に、他のＵＥが送信するＤ２ＤＳＳがあるかを確認する過程で、他のＵＥが送信した前記一定の条件を満足するＤ２ＤＳＳが検出される場合、Ｄ２ＤＳＳ送信を中断するように動作することができる。
【００８７】
上述したＤ２ＤＳＳ送信決定方式２において、他のＵＥのＤ２ＤＳＳが検出されてもＤ２ＤＳＳの送信を試みる条件の一例として、他のＵＥのＤ２ＤＳＳが一定水準以下の品質、例えば、受信電力が一定水準以下に検出された場合を挙げることができる。この条件は、一定距離だけ離れたＵＥであればＤ２ＤＳＳの送信を許容するためである。他の条件の一例として、検出されたＤ２ＤＳＳが、ｅＮＢとの同期を取っていないＵＥによって後述するＤ２ＤＳＳ送信決定方式３を用いて送信された場合を挙げることができる。これは、ｅＮＢに同期を取っている、Ｄ２ＤＳＳ送信決定方式２に従うＵＥに高い優先順位を付与するようにすることによって、究極的には、Ｄ２ＤＳＳ送信決定方式３を用いたＵＥが、Ｄ２ＤＳＳ送信決定方式２に従うＵＥに同期を取るようにするためである。
【００８８】
すなわち、Ｄ２ＤＳＳ送信決定方式１やＤ２ＤＳＳ送信決定方式２を用いて送信されたＤ２ＤＳＳが（一定水準以上の品質に）検出された場合には、Ｄ２ＤＳＳ送信の試みを中断することを意味する。このとき、ＵＥが検出したＤ２ＤＳＳ送信決定方式１やＤ２ＤＳＳ送信決定方式２によって検出されるＤ２ＤＳＳは、自身が接続しているセルで提供したリソース及びシード値を使用しているＤ２ＤＳＳに制限されてもよい。これは、隣接セルで伝送しているＤ２ＤＳＳは、たとえ検出されても、自身と同期が完璧に合わないことがあるため、依然として別途のＤ２ＤＳＳを送信することが好ましいためである。
【００８９】
（３）ＵＥが、ｅＮＢからさらに遠ざかってｅＮＢからの同期を取得することが不可能な場合には（ただし、ｅＮＢからの同期を取得することが不可能であるか否かは、ｅＮＢ信号の受信品質に対する条件で示されてもよい）、ｅＮＢが知らせるＤ２ＤＳＳリソースやシード値を使用することが不可能になる。このときには、ｅＮＢとの同期を取っていない状態でＤ２ＤＳＳを送信しなければならず、これを、Ｄ２ＤＳＳ送信決定方式３と称することができる。Ｄ２ＤＳＳ送信決定方式３は、ｅＮＢがＤ２ＤＳＳリソースやシード値を放送するという点を除けば、ＵＥが自らＤ２ＤＳＳを送信するか否かを判断するという点でＤ２ＤＳＳ送信決定方式２と似ている。すなわち、Ｄ２ＤＳＳ送信決定方式３でも、ＵＥは、まず、他のＵＥが送信するＤ２ＤＳＳがあるかを確認し、他のＵＥが送信するＤ２ＤＳＳが検出されないか、又は検出されても一定の条件を満足しない場合には、ｅＮＢが知らせたリソース及びシード値を用いてＤ２ＤＳＳを送信する。このときには、確率的送信も可能であり、直ちにＤ２ＤＳＳを送信するものではなく、一定の確率でＤ２ＤＳＳの送信を試みることによって、隣接する２つのＵＥが同時にＤ２ＤＳＳを送信する場合を減らすことができる。
【００９０】
一方、確率的にＤ２ＤＳＳの送信中断を決定するということは、各ＵＥが、毎Ｄ２ＤＳＳの送信時点で一定の確率で継続してＤ２ＤＳＳを送信するか否かを決定する形態であってもよく、或いは、未来にＤ２ＤＳＳを送信する時点を確率的に選択する形態であってもよい。逆に、他のＵＥが送信するＤ２ＤＳＳがあるかを確認する過程で、他のＵＥが送信し、所定の条件を満足するＤ２ＤＳＳが検出されると、Ｄ２ＤＳＳの送信を中断するように動作することができる。
【００９１】
上述によれば、ＵＥは、他のＵＥが送信したＤ２ＤＳＳを検出する場合、どのような方式によって送信されたＤ２ＤＳＳであるかを区分することができなければならない。これは、Ｄ２ＤＳＳのシード値をＤ２ＤＳＳ送信決定方式に連動させることによって解決することができる。一例として、Ｄ２ＤＳＳに使用可能なシード値全体を３つの集合に区分し、各集合に一つのＤ２ＤＳＳ送信決定方式を連動することである。これによれば、特定のＤ２ＤＳＳ送信決定方式を用いる場合には、連動するＤ２ＤＳＳのシード値を使用するようにすることができる。もちろん、一つのＤ２ＤＳＳ送信決定方式に２つ以上のシード値が連動している状況であれば、連動するシード値のうち１つを確率的に選択して使用することができる。特に、ＵＥがＤ２ＤＳＳ送信決定方式３を用いるようになる場合には、必ずＤ２ＤＳＳ送信決定方式３に連動するシード値を使用しなければならず、残りのＤ２ＤＳＳ送信決定方式では、ｅＮＢが適宜指定することも可能である。
【００９２】
又は、動作の便宜上、Ｄ２ＤＳＳのシード値全体は、カバレッジ内部のＵＥ、すなわち、Ｄ２ＤＳＳ送信決定方式１及びＤ２ＤＳＳ送信決定方式２に従うＵＥが使用するシード値の集合と、カバレッジ外部のＵＥ、すなわち、Ｄ２ＤＳＳ送信決定方式３に従うＵＥが使用するシード値の集合との２つの段階のみに区分されてもよい。この場合、Ｄ２ＤＳＳ送信決定方式１とＤ２ＤＳＳ送信決定方式２との区分は、ｅＮＢが指定する設定によって行われてもよい。すなわち、ｅＮＢは、Ｄ２ＤＳＳ送信決定方式１のＵＥとＤ２ＤＳＳ送信決定方式２のＵＥが使用するＤ２ＤＳＳのシード値を別途に指定することができ、この情報がシステム情報の一種として放送されれば、全ＵＥがこれを区分できるようになる。
【００９３】
以下では、上述したＤ２ＤＳＳ送信決定方式を切り替える方法について説明する。
【００９４】
まず、Ｄ２ＤＳＳ送信決定方式１とＤ２ＤＳＳ送信決定方式２との間の切り替えのために、ｅＮＢの信号品質を基準とすることができる。一例として、ｅＮＢが伝送する参照信号の受信電力が一定水準以上である場合にはＤ２ＤＳＳ送信決定方式１を用い、それ以下の場合には、Ｄ２ＤＳＳ送信決定方式２に切り替えるように動作することができる。もちろん、瞬間的な受信電力の変化による頻繁な方式変更を防止するために、信号品質が一定時間の間基準以上である場合や以下である場合に方式を切り替えるように動作することもでき、ｅＮＢは、システム情報などを介して、切り替えの基準となるｅＮＢ信号品質値を知らせることができる。具体的に、Ｄ２ＤＳＳ送信決定方式１からＤ２ＤＳＳ送信決定方式２への切り替えについて、以下の方式（ａ）及び（ｂ）のうち１つを考えることができる。
【００９５】
（ａ）Ｄ２ＤＳＳ送信決定方式１を用いてＤ２ＤＳＳを送信していたＵＥが、ｅＮＢとの距離が遠ざかって受信電力が基準値以下になることを発見すると、Ｄ２ＤＳＳ送信決定方式１によるＤ２ＤＳＳの送信を中断し、Ｄ２ＤＳＳ送信決定方式２に切り替えるように動作する。この動作は、Ｄ２ＤＳＳ送信決定方式１とＤ２ＤＳＳ送信決定方式２との区分を明確にする場合に効果的である。このとき、ＵＥは、自身がＤ２ＤＳＳ送信決定方式２に切り替えるという事実をｅＮＢに報告するように動作することができ、これに基づいて、ｅＮＢが、Ｄ２ＤＳＳの送信を持続するか否かを指示することもできる。
【００９６】
（ｂ）Ｄ２ＤＳＳ送信決定方式１を用いてＤ２ＤＳＳを送信していたＵＥが、ｅＮＢとの距離が遠ざかって受信電力が基準値以下になることを発見しても、ｅＮＢとの同期を維持することが可能な状況であれば、依然として、既存のＤ２ＤＳＳの送信を続ける。この動作は、Ｄ２ＤＳＳの送信方式の切り替えを最小化するという点で有利であり、この場合には、Ｄ２ＤＳＳ送信決定方式１とＤ２ＤＳＳ送信決定方式２とのＤ２ＤＳＳシード値を区分しなくてもよい。このような動作を適用する場合に、上述したｅＮＢの信号品質に対する基準は、Ｄ２ＤＳＳを送信していないＵＥがＤ２ＤＳＳの送信を試みるときにのみ制限的に適用されると見ることができる。ただし、この場合にも、ＵＥは、自身がＤ２ＤＳＳ送信決定方式２に切り替えるという事実をｅＮＢに報告することができ、これに基づいて、ｅＮＢが、Ｄ２ＤＳＳの送信を中断するか否かを指示することもできる。
【００９７】
これと同様に、Ｄ２ＤＳＳ送信決定方式２からＤ２ＤＳＳ送信決定方式１への切り替えの具体的な動作として、以下の方法（ｃ）及び（ｄ）のうち１つを選択することができる。
【００９８】
（ｃ）Ｄ２ＤＳＳ送信決定方式２を用いてＤ２ＤＳＳを送信していたＵＥが、受信電力が基準値以上になることを発見すると、Ｄ２ＤＳＳ送信決定方式２によるＤ２ＤＳＳの送信を中断し、Ｄ２ＤＳＳ送信決定方式１に切り替えるように動作する。この切り替え過程において、ＵＥは、自身がＤ２ＤＳＳ送信決定方式１に従ってＤ２ＤＳＳを送信することを要求する信号をｅＮＢに伝送することができ、特に、他のＵＥが送信するＤ２ＤＳＳを受信できない場合に、そのような報告を行うことができる。ここで、他のＵＥが送信するＤ２ＤＳＳは、Ｄ２ＤＳＳ送信決定方式１に従って送信されたＤ２ＤＳＳ或いはｅＮＢに同期を取ったＤ２ＤＳＳに限定されてもよい。
【００９９】
好ましくは、Ｄ２ＤＳＳを送信することを要求する信号を受信したｅＮＢは、Ｄ２ＤＳＳ送信決定方式１によるＤ２ＤＳＳの送信を当該ＵＥに指示する。又は、当該ＵＥが検出した他のＵＥ送信のＤ２ＤＳＳ情報（例えば、検出したＤ２ＤＳＳのリソース位置、シード値、受信電力強度など）を報告することができる。これに基づいて、ｅＮＢは、当該ＵＥがＤ２ＤＳＳを送信することが適切であるか否かを判断することができる。もちろん、このようなｅＮＢへの報告は、新たにＤ２Ｄを開始しようとすると共に、Ｄ２ＤＳＳ送信決定方式１を使用しようとするＵＥもまた行うことができる。
【０１００】
（ｄ）Ｄ２ＤＳＳ送信決定方式２を用いたＤ２ＤＳＳの送信中、受信電力が基準値以上になることを発見しても、依然として、既存のＤ２ＤＳＳの送信を維持することができる。ただし、ｅＮＢに、自身が送信しているＤ２ＤＳＳのリソース位置及びシード値、伝送電力などの情報を報告し、もし、ｅＮＢがＤ２ＤＳＳの送信中断を命令するか、又は他のＤ２ＤＳＳの送信方式をＤ２ＤＳＳ送信決定方式１として指示する場合、これによって、既存のＤ２ＤＳＳの送信は中断する。
【０１０１】
以上の方式を説明するにおいて、Ｄ２ＤＳＳ送信決定方式１とＤ２ＤＳＳ送信決定方式２との間の切り替えの条件として、ｅＮＢ信号の受信品質を使用したが、本発明がこれに限定されるものではなく、それ以外の他の条件が適用される場合にも適用可能である。一例として、ＵＥがｅＮＢとの接続を樹立してＲＲＣ_ＣＯＮＮＥＣＴＥＤ状態にあれば、ＵＥ特定的シグナリングが可能なＤ２ＤＳＳ送信決定方式１を用い、ｅＮＢとの接続が樹立されていないＲＲＣ_ＩＤＬＥ状態にあれば、ＵＥ特定的シグナリングが不可能であるため、Ｄ２ＤＳＳ送信決定方式２を用い、どのような状態に切り替えるかによって、Ｄ２ＤＳＳ送信決定方式も共に変更することができる。
【０１０２】
他の一例として、Ｄ２ＤＳＳ送信決定方式はＤ２Ｄデータ伝送方式に連動することができる。具体的には、ｅＮＢの個別的な指示を必要とするＤ２ＤＳＳ送信決定方式１は、ｅＮＢの個別的な指示に基づいてＤ２Ｄデータ信号の送信リソースが割り当てられる場合に使用する一方、ｅＮＢの個別的な指示を必要としないＤ２ＤＳＳ送信決定方式２は、ｅＮＢの個別的な指示なしにＵＥが自らＤ２Ｄデータ信号の送信リソースを決定する場合に使用することができる。特に、Ｄ２ＤＳＳ送信決定方式とＤ２Ｄデータ送信方式が共に切り替わってもよく、もし、Ｄ２ＤＳＳ送信決定方式に応じて可用Ｄ２ＤＳＳシード値が異なる場合であれば、他のＵＥは、Ｄ２ＤＳＳを検出することによって、どのようなＤ２Ｄデータ送信方式でＤ２Ｄデータが送信されるかも把握することができる。
【０１０３】
一方、上述したように、２つのＵＥが非常に近い位置で（例えば、Ｄ２ＤＳＳの受信電力が特定基準値以上である場合）それぞれＤ２ＤＳＳを送信することは好ましくなく、この場合には、２つのうち１つのＵＥのみがＤ２ＤＳＳを送信し、残りのＵＥは、これに同期を取ることが適切である。このとき、他のＵＥに同期を取ったＵＥは、これに合わせてＤ２ＤＳＳを送信することによって、同期を中継する動作を行うこともできる。一つのＵＥがＤ２ＤＳＳを送信しているときに新たなＵＥが現れれば、Ｄ２ＤＳＳ送信決定方式２やＤ２ＤＳＳ送信決定方式３を用いる場合、新たなＵＥがＤ２ＤＳＳ送信の前に既存のＤ２ＤＳＳを検出する段階で、既に送信されているＤ２ＤＳＳを発見し、自身のＤ２ＤＳＳの送信を行わない。すなわち、既存にＤ２ＤＳＳを送信していたＵＥに優先権を付与することである。
【０１０４】
しかし、一つのＵＥがＤ２ＤＳＳを送信しているときに他のＤ２ＤＳＳ送信ＵＥが移動して近接する場合、２つのＵＥが同時にＤ２ＤＳＳの送信を中断し、一時的にＤ２ＤＳＳの不在が発生するという問題が発生し得る。この場合には、２つのＵＥが確率的にＤ２ＤＳＳ送信中断を決定することによって、先に一つのＵＥがＤ２ＤＳＳの送信を中断する場合、他のＵＥはＤ２ＤＳＳの送信を持続するように動作することができる。すなわち、一つのＵＥが確率的に先にＤ２ＤＳＳの送信を中断すると、他のＵＥはこれを観察することができるので、自身のＤ２ＤＳＳの送信は持続することである。自身のＤ２ＤＳＳ送信を先に中断したＵＥは、残っているＵＥのＤ２ＤＳＳに同期を取り、これを中継するためのＤ２ＤＳＳを送信することもでき、このとき、Ｄ２ＤＳＳの送信タイミング及びその他のＤ２ＤＳＳ送信パラメータが変化し得るため、依然として既存の自身が送信していたＤ２ＤＳＳは中断することになる。
【０１０５】
このとき、確率的にＤ２ＤＳＳ送信中断を決定するということは、各ＵＥが毎Ｄ２ＤＳＳの送信時点で一定の確率で継続してＤ２ＤＳＳを送信するか否かを決定する形態であってもよく、或いは、未来にＤ２ＤＳＳを送信する時点を確率的に選択する形態であってもよく、或いは、ＵＥのＩＤやＤ２ＤＳＳのシーケンス生成のシード値のように確率的に設定される値が大きいか又は小さいかによって、Ｄ２ＤＳＳ送信中断ＵＥを決定してもよい。前記確率的に設定される値を端末のセッティング時から指定する場合、各端末の設定値が重複しないようにするために確率的に選択して設定値を入力するものと見ることもできる。
【０１０６】
もちろん、この場合は、２つのＵＥのＤ２ＤＳＳが同一の優先順位を有する場合を想定したものであり、例えば、上述したＤ２ＤＳＳ送信決定方式のうち同一のものを使用するか、又はその他にＤ２ＤＳＳの選択に作用する優先順位が同一である場合に該当し、もし、あるＵＥのＤ２ＤＳＳの優先順位が低い場合、自動的に低い優先順位のＤ２ＤＳＳの伝送が中断される。一例として、生成された時間が古いＤ２ＤＳＳに優先順位を付与する場合、各Ｄ２ＤＳＳの生成された後の経過時間は優先順位を示し、生成された後の経過時間が同一である場合にのみ制限的に、このような確率的なＤ２ＤＳＳ送信中断動作が行われてもよい。他の例として、ＵＥが他のＵＥのＤ２ＤＳＳに同期を取り、これを多重ホップ中継する場合においても、ホップ数の少ないＤ２ＤＳＳが優先権を有するようになり、この場合には、同じホップ数のＤ２ＤＳＳが観察された場合にのみ制限的に確率的なＤ２ＤＳＳ送信中断動作が行われてもよい。
【０１０７】
類似の動作をＤ２ＤＳＳ送信決定方式１でも適用するために、ＵＥは、他のＵＥの送信Ｄ２ＤＳＳの受信電力が特定の基準値以上になる場合には（さらに、そのようなＤ２ＤＳＳが、自身が送信するＤ２ＤＳＳと同一の優先順位を有する場合には）、これをｅＮＢに報告するように動作することができ、ｅＮＢは、これを考慮して、当該ＵＥのＤ２ＤＳＳ送信を中断するように指示することができる。
【０１０８】
上述したＤ２ＤＳＳを検出したＵＥが確率的に自身のＤ２ＤＳＳ送信を中断する動作は、特定のＵＥが、自身が送信しているＤ２ＤＳＳと同一のＤ２ＤＳＳを検出し、その検出されたＤ２ＤＳＳと自身の送信Ｄ２ＤＳＳとが同期していない場合にも有用に適用することができる。具体的に説明すると、ＵＥ  ＡがＤ２ＤＳＳ  Ｘを送信しているとき、他のＵＥ  Ｂが送信する同一のシーケンスのＤ２ＤＳＳ  Ｘを検出することができる。この状況は、最初は２つのＵＥが遠く離れて互いを感知できない状況で同一にＤ２ＤＳＳ  Ｘを選択して送信したが、時間が経過するにつれて２つのＵＥが近づく場合に発生し得る。このとき、２つのＵＥが送信するＤ２ＤＳＳ  Ｘは同期していないことが一般的であり、具体的には、Ｄ２ＤＳＳのシンボル境界（ｓｙｍｂｏｌ  ｂｏｕｎｄａｒｙ）が一定水準（例えば、ＣＰ長（ｌｅｎｇｔｈ）或いはＣＰ長から遅延拡散（ｄｅｌａｙ  ｓｐｒｅａｄ）を除いた分に該当する時間の長さ）以上の差があるか、又はＤ２ＤＳＳと連動する同期チャネルを介して指示されたフレーム番号（ｆｒａｍｅ  ｎｕｍｂｅｒ）が異なる場合に、２つのＤ２ＤＳＳは同期していないことを把握することができる。
【０１０９】
このように、ＵＥ  ＡとＵＥ  Ｂとが同期していないと共に、同一のＤ２ＤＳＳを送信するという事実を把握した場合、２つのＵＥのうち一方が他方に同期を取るように動作することが好ましい。これは、第３のＵＥの立場では、同一のＤ２ＤＳＳシーケンスが同期していない状況になるため、どのシーケンスをいつ使用しなければならないかが不明確になるためである。このとき、どのＵＥがＤ２ＤＳＳの送信を中断し、他方に同期を取るかを決定する動作は、上述した確率的送信中断動作に従うことができる。自身のＤ２ＤＳＳ送信を中断し、他のＵＥのＤ２ＤＳＳに同期を取ったＵＥは、その同期によってＤ２ＤＳＳを再び送信することによって、Ｄ２ＤＳＳを中継する動作を取ることができる。もちろん、２つのＵＥが送信する同一のＤ２ＤＳＳ  Ｘが互いに同期していると判明される場合には、２つのＵＥが非常に近いため、Ｄ２ＤＳＳの受信電力が上述した一定水準以下になる場合を除けば、別途の動作を行わずに、各ＵＥのＤ２ＤＳＳ送信を持続することも可能である。
【０１１０】
一方、上述したように、Ｄ２ＤＳＳと連動する同期チャネルを介して指示されたフレーム番号が一致するか否かに基づいて、２つのＤ２ＤＳＳが同期しているか否かを判断する方法は、２つのＤ２ＤＳＳが異なるシーケンスを使用する場合にも有用である。一般的に、フレーム番号を表す際にＭビットを使用する場合、偶然に同じフレーム番号を使用する確率は１／２Ｍになるため、非常に低いといえる。もちろん、これに、偶然に２つのＤ２ＤＳＳのサブフレーム境界（ｓｕｂｆｒａｍｅ  ｂｏｕｎｄａｒｙ）が上述した一定水準以内である確率が追加されると、さらに低くなる。したがって、ＵＥは、たとえ、検出した２つのＤ２ＤＳＳのシーケンスが異なっても、サブフレーム境界が一定誤差以内であり、フレーム番号が一致すれば、２つのＤ２ＤＳＳが同期しているものと見なすことができ、２つのＤ２ＤＳＳから推定された周波数補正値を平均することができる。もちろん、Ｄ２ＤＳＳに連動する同期チャネルがフレーム番号以外の他の情報を伝達する場合、これらが一致するか否かを共に使用して、同期化しているか否かを決定することができるが、このときには、個別Ｄ２ＤＳＳや同期チャネルに特定的な情報、例えば、Ｄ２ＤＳＳや同期チャネルが伝送されたサブフレームインデックスのような情報は、別途に処理されなければならない。例えば、２つのＤ２ＤＳＳ及び同期チャネルが２つのサブフレームだけ離隔して伝送されると、同期チャネルに含まれたサブフレームインデックスに対して２だけの差がある場合が、むしろ同期しているものと見なすべきである。
【０１１１】
一方、Ｄ２ＤＳＳ送信決定方式２とＤ２ＤＳＳ送信決定方式３との区分がない動作も設計可能である。これは、２つの動作がいずれも、ＵＥが、Ｄ２ＤＳＳを送信するか否かを自発的に決定するという点で共通点があるためである。すなわち、Ｄ２ＤＳＳ送信決定方式２を使用する条件に置かれたＵＥは、まるで自身がカバレッジ外部にあるＵＥのように、カバレッジ外部で使用するＤ２ＤＳＳシード値を用いてＤ２ＤＳＳを送信する。すると、Ｄ２ＤＳＳ送信決定方式１を使用できる条件に置かれたＵＥが、これを把握すると、その事実をｅＮＢに報告し、カバレッジ内部で使用するシード値を用いてＤ２ＤＳＳを送信し、最初にＤ２ＤＳＳを送信したＵＥは、これから、この新たに受信されたＤ２ＤＳＳを多重ホップ中継を介して他のＵＥに伝送することができる。このような動作のために、ｅＮＢは、Ｄ２ＤＳＳ送信決定方式２の条件でカバレッジ外部で使用するＤ２ＤＳＳシード値でＤ２ＤＳＳを伝送できるリソース領域を指定することができる。
【０１１２】
図９は、本発明の一実施例に係る通信装置のブロック構成図である。
【０１１３】
図９を参照すると、通信装置９００は、プロセッサ９１０、メモリ９２０、ＲＦモジュール９３０、ディスプレイモジュール９４０、及びユーザインターフェースモジュール９５０を備えている。
【０１１４】
通信装置９００は説明の便宜のために示されたもので、一部のモジュールは省略されてもよい。また、通信装置９００は必要なモジュールをさらに備えてもよい。また、通信装置９００において一部のモジュールはより細分化したモジュールに区分されてもよい。プロセッサ９１０は、図面を参照して例示した本発明の実施例に係る動作を実行するように構成される。具体的には、プロセッサ９１０の詳細な動作は、図１乃至図８に記載された内容を参照すればよい。
【０１１５】
メモリ９２０は、プロセッサ９１０に接続し、オペレーティングシステム、アプリケーション、プログラムコード、データなどを格納する。ＲＦモジュール９３０は、プロセッサ９１０に接続し、基底帯域信号を無線信号に変換したり、無線信号を基底帯域信号に変換する機能を果たす。そのために、ＲＦモジュール９３０は、アナログ変換、増幅、フィルタリング及び周波数アップ変換又はこれらの逆過程を行う。ディスプレイモジュール９４０は、プロセッサ９１０に接続し、様々な情報をディスプレイする。ディスプレイモジュール９４０は、特に制限されるものではなく、ＬＣＤ（Ｌｉｑｕｉｄ  Ｃｒｙｓｔａｌ  Ｄｉｓｐｌａｙ）、ＬＥＤ（Ｌｉｇｈｔ  Ｅｍｉｔｔｉｎｇ  Ｄｉｏｄｅ）、ＯＬＥＤ（Ｏｒｇａｎｉｃ  Ｌｉｇｈｔ  Ｅｍｉｔｔｉｎｇ  Ｄｉｏｄｅ）のような周知の要素を用いることができる。ユーザインターフェースモジュール9５０は、プロセッサ9１０に接続し、キーパッド、タッチスクリーンなどのような周知のユーザインターフェースの組合せで構成可能である。
【０１１６】
以上説明してきた実施例は、本発明の構成要素及び特徴を所定の形態で結合したものである。各構成要素又は特徴は、別の明示的な言及がない限り、選択的なものとして考慮しなければならない。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更されてもよい。ある実施例の一部構成や特徴は、他の実施例に含まれてもよく、他の実施例の対応する構成又は特徴に取り替わってもよい。特許請求の範囲において明示的な引用関係にない請求項を結合して実施例を構成したり、出願後の補正により新しい請求項として含めたりできるということは明らかである。
【０１１７】
本文書で基地局によって行われるとした特定動作は、場合によってはその上位ノード（ｕｐｐｅｒ  ｎｏｄｅ）によって行われることもある。すなわち、基地局を含む複数のネットワークノード（ｎｅｔｗｏｒｋ  ｎｏｄｅｓ）からなるネットワークにおいて端末との通信のために行われる様々な動作は、基地局又は基地局以外の他のネットワークノードによって行われ得ることは明らかである。基地局は、固定局（ｆｉｘｅｄ  ｓｔａｔｉｏｎ）、ＮｏｄｅＢ、ｅＮｏｄｅＢ（ｅＮＢ）、アクセスポイント（ａｃｃｅｓｓ  ｐｏｉｎｔ）などの用語にしてもよい。
【０１１８】
本発明に係る実施例は、様々な手段、例えば、ハードウェア、ファームウェア（ｆｉｒｍｗａｒｅ）、ソフトウェア又はそれらの結合などによって具現することができる。ハードウェアによる具現では、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０１１９】
ファームウェアやソフトウェアによる具現では、本発明の一実施例は、以上で説明された機能又は動作を実行するモジュール、手順、関数などの形態で具現されてもよい。ソフトウェアコードは、メモリユニットに記憶され、プロセッサによって駆動可能である。メモリユニットは、プロセッサの内部又は外部に設けられ、公知の様々な手段によってプロセッサとデータを交換することができる。
【０１２０】
本発明は、本発明の特徴から逸脱しない範囲で別の特定の形態に具体化できるということが当業者にとって自明である。したがって、上記の詳細な説明は、いずれの面においても制限的に解釈してはならず、例示的なものとして考慮しなければならない。本発明の範囲は、添付の請求項の合理的な解釈によって決定しなければならず、本発明の同等な範囲内における変更はいずれも本発明の範囲に含まれる。
【産業上の利用可能性】
【０１２１】
上述したような無線通信システムにおいて端末間直接通信のための同期信号伝送方法及びそのための装置は、３ＧＰＰ  ＬＴＥシステムに適用される例を中心に説明したが、３ＧＰＰ  ＬＴＥシステム以外にも、様々な無線通信システムに適用することが可能である。
【図１】
0006571107.tif 000015
【図２】
0006571107.tif 000016
【図３】
0006571107.tif 000017
【図４】
0006571107.tif 000018
【図５】
0006571107.tif 000019
【図６】
0006571107.tif 000020
【図７】
0006571107.tif 000021
【図８】
0006571107.tif 000022
【図９】
0006571107.tif 000023